(57)【要約】【課題】簡単な構成で吊り紐にフック等を挿入するための空間を確保することのできる吊り紐支持具及び袋体の吊り上げ方法を提供する。【解決手段】袋体２に設けられたループ状の吊り紐３ａ〜３ｄを、袋体２から持ち上げた状態で支持する吊り紐支持具１０を、袋体２の上部に載置される枠状の基台１１と、基台１１から上方に突出するように設けられた棒状の支持片１２１〜１２５を備え、吊り紐３ａ〜３ｄを支持する支持部材１２と、吊り紐３ａ〜３ｄを、広げた状態で、支持部材１２の支持片１２１〜１２５に固定する固定部材１３とから構成した。【選択図】図１
2018095390.tif 000002
【特許請求の範囲】
【請求項１】
袋体に設けられたループ状の吊り紐を、前記袋体から持ち上げた状態で支持する吊り紐支持具であって、
前記袋体の上部に載置される基台と、前記吊り紐を支持する支持部材と、前記吊り紐を前記支持部材に固定する固定部材とを備え、
前記支持部材が、
前記基台から上方に突出するように設けられた複数の棒状の部材を備え、
前記固定部材は、
前記吊り紐を広げた状態で、前記吊り紐を前記支持部材に固定することを特徴とする吊り紐支持具。
【請求項２】
前記棒状の部材が、前記基台の作る面を側面とする角柱の辺に沿って配置されていることを特徴とする請求項１に記載の吊り紐支持具。
【請求項３】
前記棒状の部材が、前記基台の作る面を底面とする錐体の斜辺に沿って配置されていることを特徴とする請求項１に記載の吊り紐支持具。
【請求項４】
前記棒状の部材が、弾性部材から構成されていることを特徴とする請求項２または請求項３に記載の吊り紐支持具。
【請求項５】
袋体に設けられたループ状の吊り紐を、前記袋体から持ち上げた状態で支持する吊り紐支持具であって、
前記袋体の上部に載置される基台と、前記基台から上方に突出するように設けられて前記吊り紐を支持する支持部材とを備え、
前記支持部材は、
前記基台とは反対側の端部に、前記吊り紐を収納溝が形成されていることを特徴とする吊り紐支持具。
【請求項６】
請求項１〜請求項５のいずれかに記載の吊り紐支持具を用いて、袋体を吊り上げる袋体の吊り上げ方法であって、
袋体に中詰め材を収納する工程と、
前記袋体に設けられた、当該袋体の開口部を閉じるための綴じ紐を引き出して前記開口部を閉じる工程と、
前記袋体の、引き出された綴じ紐の下部側の部分を口絞り用のロープで結着する工程と、
前記引き出された綴じ紐のそれぞれを前記袋体から持ち上げるとともにループ状とし、このループ状の綴じ紐を吊り紐として前記吊り紐支持具に取付ける工程と、
前記取付けられたループ状の吊り紐を引っ掛けて前記袋体を吊り上げる工程とを備えることを特徴とする袋体の吊り上げ方法。
【発明の詳細な説明】
【技術分野】
【０００１】
本発明は、土嚢などの袋体に設けられたループ状の吊り紐を、リング形状を保持した状態で支持する吊り紐支持具及び袋体の吊り上げ方法に関する。
【背景技術】
【０００２】
従来、斜面崩壊後の復旧対策工事として、内部に栗石などの中詰材を詰めた根固め用の袋材を斜面の中間に多数配置して、上流側からの土砂または転石を一端仮受けする方法が行われているが、作業現場である斜面は二次災害のおそれがあるため、安全上、根固め用の袋材を目標位置に設置する作業を無人化することが望ましい。
根固め用の袋材の設置作業を無人化するためには、袋に設けられている吊り紐にフック等を引っ掛けて袋体を吊り上げて斜面の所定位置まで運搬する作業を、無人化エリア内で遠隔操作にて行う必要がある。
ところで、フック掛けを行うためには、袋体本体と吊り紐との間に、フックが挿入できるだけの空間を確保する必要がある。すなわち、吊り紐を広げた状態で自立させる必要がある。
そこで、袋体を吊り上げて運搬する重機のアタッチメントの先端に磁石を取付けるとともに、鉄片もしくは磁石を装着した吊り紐を袋体の取り付け、磁力によって吊り紐を持ち上げることで、フックを挿入するための空間を確保する方法が提案されている（例えば、非特許文献１、特許文献１参照）。
【先行技術文献】
【非特許文献】
【０００３】
【非特許文献１】遠隔操縦式バックホウ用大型土のう設置装置の開発、国土交通省  東北地方整備局東北技術事務所  布宮、伊藤、建設マネジメント技術、2015.6月号、pp55-60
【特許文献】
【０００４】
【特許文献１】特開２０１４−２３４２７７号公報
【発明の概要】
【発明が解決しようとする課題】
【０００５】
しかしながら、上記の磁石を用いて吊り紐にフックを挿入するための空間を確保する方法では、重機の先端のアタッチメントを、磁石を装備した特殊把持装置に交換する必要があるだけでなく、吊り紐についても、鉄片ないしは磁石を装着させたものに変更する必要があった。
【０００６】
本発明は、従来の問題点に鑑みてなされたもので、簡単な構成で吊り紐にフック等を挿入するための空間を確保することのできる吊り紐支持具及び袋体の吊り上げ方法を提供することを目的とする。
【課題を解決するための手段】
【０００７】
本発明は、袋体に設けられたループ状の吊り紐を、前記袋体から持ち上げた状態で支持する吊り紐支持具であって、前記袋体の上部に載置される基台と、前記吊り紐を支持する支持部材と、前記吊り紐を前記支持部材に固定する固定部材とを備え、前記支持部材が、前記基台から上方に突出するように設けられた複数の棒状の部材を備え、前記固定部材は、前記吊り紐を広げた状態で、前記吊り紐を前記支持部材に固定することを特徴とする。
これにより、吊り紐を広げた状態で自立させることができるので、特殊な把持装置を備えた重機を用いることなく、袋体を吊り上げて運搬することができる。
なお、「広げた状態」とは、例えば、図３（ａ），（ｂ）の太い実線で示す吊り紐３ａ（３ｂ）のように、吊り紐３ａ（３ｂ）の各部が接触しておらず、吊り紐３ａ（３ｂ）の左右の辺の間に空間が形成された状態、いわゆるループ状である状態を指し、「閉じた状態」とは、図３（ａ）の太い破線で示す吊り紐３ａ（３ｂ）のように、吊り紐３ａの左右の辺が接触していて、吊り紐３ａの間に空間がない状態を指す。図２（ｂ）の状態も、吊り紐３ａ各部が接触していないので、「広げた状態」といえる。また、「広げた状態」における吊り紐３ａの間に形成される空間の大きさは、フック等の、吊り紐を引っ掛けて前記袋体を吊り上げる吊り上げ装置に設けられた引っ掛け手段が挿入可能な大きさであることはいうまでもない。
【０００８】
また、前記棒状の部材を、前記基台の作る面を側面とする角柱の辺に沿って配置したので、吊り紐を安定して自立させることができる。この場合、基台の作る面は矩形で、基台から上方に突出するように設けられた棒状の部材が角柱の上面と底面とを構成する。
また、前記棒状の部材を、前記基台の作る面を底面とする錐体の斜辺に沿って配置しても同様の効果を得ることができる。この場合には、基台の作る面はｎ角形で、基台から上方に突出するように設けられた棒状の部材がｎ角錐の斜面を構成する。
また、前記棒状の部材を、弾性部材から構成したので、袋材を積み重ねることで吊り紐支持具が一旦潰れても、上の袋材を取り除けば、また、形状が復元してリング状となるので、袋材を積み重ねて運搬できる。また、設置後も形状がリング状に保持されるので、袋材を交換もしくは取り除きが容易となる。  
また、本発明は、袋体に設けられたループ状の吊り紐を、前記袋体から持ち上げた状態で支持する吊り紐支持具であって、前記袋体の上部に載置される基台と、前記基台から上方に突出するように設けられて前記吊り紐を支持する支持部材とを備え、前記支持部材が、前記基台とは反対側の端部に、前記吊り紐を収納溝が形成されていることを特徴とする。
このように、吊り紐を棒状の部材の収納溝に収納すれば、固定部材を用いることなく、吊り紐を広げた状態で自立させることができる。
【０００９】
また、本発明は、請求項１〜請求項５のいずれかに記載の吊り紐支持具を用いて、袋体を吊り上げる袋体の吊り上げ方法であって、袋体に中詰め材を収納する工程と、前記袋体に設けられた、当該袋体の開口部を閉じるための綴じ紐を引き出して前記開口部を閉じる工程と、前記袋体の、引き出された綴じ紐の下部側の部分を口絞り用のロープで結着する工程と、前記引き出された綴じ紐のそれぞれを前記袋体から持ち上げるとともにループ状とし、このループ状の綴じ紐を吊り紐として前記吊り紐支持具に取付ける工程と、前記取付けられたループ状の吊り紐を引っ掛けて前記袋体を吊り上げる工程とを備える。
これにより、特殊な把持装置を備えた重機を用いる必要がないだけでなく、新たに吊り紐を準備することないので、袋体の吊り上げを効率よく行うことができる。
【００１０】
なお、前記発明の概要は、本発明の必要な全ての特徴を列挙したものではなく、これらの特徴群のサブコンビネーションもまた、発明となり得る。
【図面の簡単な説明】
【００１１】
【図１】本実施の形態１を示す図である。
【図２】綴じ紐を吊り紐とする工程を示す図である。
【図３】吊り紐を固定する工程を示す図である。
【図４】本発明による吊り紐支持具の他の例を示す図である。
【図５】本発明による吊り紐支持具の他の例を示す図である。
【図６】吊り紐の固定方法の他の例を示す図である。
【図７】吊り紐の固定方法の他の例を示す図である。
【図８】本発明による吊り紐支持具の他の例を示す図である。
【図９】本実施の形態２に係る吊り紐支持具を示す図である。
【図１０】本実施の形態３に係る吊り紐支持具を示す図である。
【発明を実施するための形態】
【００１２】
実施の形態１．
図１（ａ），（ｂ）は本実施の形態１を示す図で、各図において、１は袋体製作枠、２は袋体支持枠１内に設置されて、内部に栗石などの中詰め材（図示ぜず）が収容された根固め用袋体（以下、袋体という）、３ａ〜３ｄは袋体２の袋体支持枠１の開口部２ｋ側である上部側に取付けられた吊り紐、１０は袋体２の上部に設置された吊り紐支持具、４は袋体２の開口部２ｋの下側を結ぶ口絞り用のロープ、５は図示しない吊り上げ手段に設けられて吊り紐３ａ〜３ｄを引っ掛ける引っ掛け手段である。
引っ掛け手段５としては、フックやバケットの爪等が用いられる。
図１（ｂ）に示すように、吊り紐支持具１０は、袋体２の上部に載置される基台１１と、吊り紐３ａ〜３ｄを支持する支持部材１２と、吊り紐３ａ〜３ｄを支持部材１２に固定する固定部材としての束線バンド１３とを備える。
基台１１は、４本の棒材１１１〜１１４を、それぞれの端部にて連結して成る平面視正方形の枠状の部材である。
支持部材１２は５本の棒状の支持片１２１〜１２５を備える。
支持片１２１，１２４は、基台１１の１辺を構成する棒材１１４の両端部から斜め上方に延びて上端部で連結され、支持片１２２，１２３は、棒材１１４に対向する辺を構成する棒材１１２の両端部から斜め上方に延びて上端部で連結される。支持片１２５は、基台１１を構成する棒材１１１，１１３と平行で、支持片１２１，１２４の連結部と支持片１２２，１２３の連結部とを連結する。
【００１３】
棒材１１２と支持片１２２，１２３とが、基台１１の棒材１１１〜１１４により構成される正方形を側面とする三角柱の上面を構成し、棒材１１４と支持片１２４，１２１とが三角柱の下面を構成する。
また、棒材１１１と支持片１２１，１２２，１２５とが、前記の三角柱の他の２つの側面のうちの一方の側面（以下、前側支持面１２ａという）を構成し、棒材１１３と支持片１２３，１２４，１２５とが前記の三角柱の他の２つの側面のうちの他方の側面（以下、後側支持面１２ｂという）を構成する。
なお、棒材１１１〜１１４及び支持片１２１〜１２５を構成する材料としては、鋼線や木材、もしくは、樹脂などを用いることができる。要は、吊り紐３ａ〜３ｄを固定した際に変形しない程度の剛性を有する材料であればよい。
束線バンド１３は、吊り紐３ａ〜３ｄを支持部材１２に広げた状態で固定する。
なお、基台１１及び支持部材１２を構成する材料としては、鋼線や木材、もしくは、樹脂などの、吊り紐３ａ〜３ｄを固定して変形しない程度の剛性を有する材料であれば、特に限定されるものではない。
【００１４】
次に、袋体２を吊り上げ方法る方法について説明する。
本例では、袋体２の開口部２ｋを閉じるための綴じ紐３を、吊り紐３ａ〜３ｄとして利用している。
綴じ紐３は、図２（ａ）に示すように、１本の紐を、袋体２の開口部２ｋ側に表側と裏側とに交互に通した後に端部同士を結合させてリング状としたもので、袋体２の開口部２ｋを広げた状態で、袋体２の内部に中詰め材を収納する。
図２（ｂ）に示すように、袋体２への中詰め材の収容後には、綴じ紐３の表側に出ている部分をそれぞれ均等に上部に引出すことで、袋体２の開口部２ｋを閉じる。
引出された綴じ紐３は、それぞれが、リング状の吊り紐３ａ〜３ｄとなる。
袋体２の開口部２ｋを閉じた後には、袋体２の、引き出された綴じ紐３の下部側の部分を口絞り用のロープ４で結着することで、袋体２が傾いたり、綴じ紐３が緩んだりした場合にも、内部の中詰材が袋体２から出ないようにする。
次に、図３（ａ），（ｂ）に示すように、引き出された綴じ紐３のそれぞれを袋体２から持ち上げるとともにループ状とし、このループ状の綴じ紐３を吊り紐３ａ〜３ｄとして吊り紐支持具１０に取付ける。
具体的には、図３（ａ）に示すように、吊り紐３ａの上部を、束線バンド１３を用いて支持片１２５の両端側に固定した後、図３（ｂ）に示すように、根元側を、束線バンド１３を用いて支持片１２１，１２２の下側に固定し、中間部を支持片１２１，１２２の上側に固定することで、吊り紐３ａを前側支持面１２ａに広げた状態で固定する。
なお、吊り紐３ａを支持片１２１，１２２，１２５に固定する順番はこれに限るものではなく、先に吊り紐３ａの根元側と中間部とを支持片１２１，１２２に固定し、しかる後に、上側を支持片１２５に固定するなどしてもよい。
吊り紐３ｂも、吊り紐３ａと同様に、前側支持面１２ａに広げた状態で固定する。
吊り紐３ｃ，３ｄは、吊り紐３ａ，３ｂと同様の方法で、後側支持面１２ｂに広げた状態で固定すればよい（図１(ａ)参照）。
最後に、吊り紐支持具１０に取付けられたループ状の吊り紐３ａ〜３ｄを、フックのような引っ掛け手段５で引っ掛けて袋体２を吊り上げるようにすれば、袋体２を容易に吊り上げることができる。
なお、吊り紐３ａ〜３ｄを全て前側支持面１２ａに取付けてもよいが、吊り紐３ａ〜３ｄを取付けた後の吊り紐支持具１０のバランスを考えると、本例のように、吊り紐３ａ，３ｂを前側支持面１２ａに固定し、吊り紐３ｃ，３ｄを後側支持面１２ｂに固定することが好ましい。
また、吊り紐の本数は４本に限るものではなく、６本あるいは８本などとしてもよい。すなわち、吊り紐の本数については、袋体２の大きさや重さ等により適宜決定すればよい。
また、吊り紐としては、必ずしも、袋体２の開口部２ｋを閉じるための綴じ紐３を利用する必要はない。例えば、綴じ紐３は、袋体２の開口部２ｋの周りに巻き付けて開口部２ｋを確実に閉じるようにする機能のみを持たせ、引っ掛け手段５に引っ掛けるリング状の吊り紐を、別途、袋体２の開口部２ｋ付近に設けてもよい。
【００１５】
なお、前記実施形態１では、支持部材１２を構成する支持片１２１〜１２５を、基台１１を側面とする三角柱の辺に沿って配置したが、図４（ａ）に示すように、支持片１２１〜１２４を、基台１１上に底面を有する四角錐の斜辺に沿って配置してもよい。
この場合には、図４（ｂ）に示すように、棒材１１１と支持片１２１，１２２との作る四角錐の斜面に吊り紐３ａ，３ｂを広げた状態で固定すればよい。なお、図は省略するが、吊り紐３ｃ，３ｄは、棒材１１３と支持片１２３，１２４との作る四角錐の斜面に広げた状態で固定される。
また、図５（ａ）に示すように、支持片１２１〜１２３を、基台１１上に底面を有する三角の斜辺に沿って配置してもよい。この場合には、図５（ｂ）に示すように、吊り紐３ａ〜３ｄは、全て、棒材１１１と支持片１２１，１２２との作る四角錐の斜面に取付けられるが、他の斜面を構成する支持辺は補強材としてしか機能しないので、安定性からすると、斜面の数が４つ以上の錐体もしくは錐台とする方が好ましい。
すなわち、吊り紐３ａ〜３ｄを取付けた後の吊り紐支持具１０のバランスを考えると、図４（ａ）に示した四角錐のように、吊り紐３ａ，３ｂと吊り紐３ｃ，３ｄとを別々の斜面に固定する形態とすることが好ましい。
【００１６】
また、前記実施形態１では、吊り紐支持具１０を吊り紐３ａ〜３ｄの外側に配置したが、吊り紐支持具１０を吊り紐３ａ〜３ｄの内側に配置してもよい。
例えば、吊り紐支持具１０が図４（ａ）のような四角錐の場合には、図６（ａ），（ｂ）に示すように、吊り紐３ａ〜３ｄは、それぞれ、基台１１の棒材１１２と棒材１１４の下側を通って、四角錐の頂点１２ｚにて吊り紐支持具１０に固定される。このように、吊り紐支持具１０を吊り紐３ａ〜３ｄの内側に配置した場合には、吊り紐３ａ〜３ｄの根元部は、吊り紐３ａ〜３ｄの自重のかかった棒材１１２と棒材１１４とにより吊り紐支持具１０と袋体２との間に挟まれるので、１個の束線バンド１３で吊り紐３ａ〜３ｄを吊り紐支持具１０に固定できる。
また、吊り紐支持具１０が図１（ｂ）のような三角柱の場合には、図７（ａ）に示すように、吊り紐３ａ〜３ｄを基台１１の棒材１１２と棒材１１４の下側をくぐらせて、棒材１１１と棒材１１３とに平行な三角柱の辺を構成する支持片１２５に固定するか、もしくは、図７（ｂ）に示すように、吊り紐３ａ〜３ｄを棒材１１１と棒材１１３の下側をくぐらせて、支持片１２５に固定すればよい。
なお、吊り紐３ａ〜３ｄを基台１１の棒材１１２と棒材１１４の下側をくぐらせた場合には、吊り紐３ａ〜３ｄを、支持片１２５の２箇所以上で固定できるので、吊り紐３ａ〜３ｄの作るループの空間を広くすることができるという利点がある。
また、吊り紐支持具１０が図５（ａ）のような三角錐の場合には、図７（ｃ）に示すように、吊り紐３ａ〜３ｄを棒材１１１〜１１３のうちの２本の棒材の下側をくぐらせて、三角錐の頂点１２ｚにて吊り紐支持具１０に固定すればよい。
【００１７】
また、吊り紐支持具１０としては、図８（ａ），（ｂ）に示すように、基台１１の互いに対向する棒材１１２，１１４に、それぞれ、中央部から上方に突出する支持片１２１，１２２を設け、この支持片１２１，１２２に吊り紐３ａ〜３ｄを固定する形態のものであってもよい。なお、支持片１２１，１２２は、必ずしも基台１１に直交する必要はなく、図８（ｃ），（ｄ）に示すように、棒材１１２と棒材１１２との中点を結ぶ線分を底辺とする三角形の２辺となるよう配置してもよい。
また、この場合にも、吊り紐支持具１０を吊り紐３ａ〜３ｄの内側に配置し、吊り紐３ａ〜３ｄを棒材１１２，１１４の下側をくぐらせて、支持片１２１，１２２に固定してもよい。
要は、リング状の吊り紐３ａ〜３ｄが、フックやバケットの爪のような吊り紐３ａ〜３ｄを引っ掛ける引っ掛け手段５を挿入するための空間が確保できるように、吊り紐３ａ〜３ｄを広げた状態で、支持部材１２に固定される構成であればよい。
【００１８】
実施の形態２．
前記実施の形態１では、吊り紐３ａ〜３ｄを支持部材１２の支持片１２１〜１２５に固定したが、図９（ａ）〜（ｃ）に示すように、支持部材１２を弾性部材から構成するとともに、吊り紐支持具１０を構成する三角柱のうちの支持片１２５を含む２つの側面１２ａ，１２ｂを網状とし、この網状の側面１２ａ，１２ｂで吊り紐３ａ〜３ｄを挟み込んで固定するようにしてもよい。
網状の側面１２ａは、支持部材１２の支持片１２２，１２３，１２５と基台１１の棒材１１２と、支持片１２２と支持片１２３とを連結する、支持片１２５と平行な方向に延長する複数の横補強片１２６と、支持片１２５と基台１１の棒材１１２とを連結する、支持片１２２と平行な方向に延長する複数の縦補強片１２７とで構成され、網状の側面１２ｂは、支持部材１２の支持片１２１，１２４，１２５と基台１１の棒材１１４と、支持片１２１と支持片１２４とを連結する、棒材１２５と平行な方向に延長する複数の横補強片１２８と、支持片１２５と基台１１の棒材１１４とを連結する、支持片１２１と平行な方向に延長する複数の縦補強片１２９とで構成される。
また、網状の側面１２ａ，１２ｂの上部側には、それぞれ、フックやバケットの爪等の引っ掛け手段５が挿入できる大きさを有する開口１２ｋが設けられており、この開口１２ｋから引っ掛け手段５を挿入して吊り紐３ａ〜３ｄを引っ掛ければ、袋体２を容易に引き上げることができる。
【００１９】
吊り紐３ａ〜３ｄを網状の側面１２ａ，１２ｂ固定する際には、まず、吊り紐３ａ〜３ｄを広げて、一方の網状の側面１２ａに吊り紐３ａ，３ｂを仮止めし、他方の側面１２ｂに吊り紐３ｃ，３ｄを仮止めする。その後、図９（ｂ）に示すように、網状の側面１２ａ，１２ｂを閉じて、吊り紐３ａ〜３ｄを吊り紐３ａ〜３ｄに挟んだ状態で、吊り紐３ａ〜３ｄを、網状の側面１２ａ，１２ｂの外側から固定するなどすればよい。
また、本例では、側面１２ａ，１２ｂを網状にするとともに、側面１２ａ，１２ｂを構成する支持片１２１〜１２４の傾きである支持片１２５の延長方向との角度を、基台１１側で小さく支持片１２５で大きくしている。これにより、網状の側面１２ａ，１２ｂは更に変形しやすくなるので、吊り紐３ａ〜３ｄの固定作業が容易となる。  
【００２０】
このように、吊り紐支持具１０を弾性部材から構成すれば、袋体２積み重ねることで吊り紐支持具１０の形が潰れても、上の袋体２を取り除けば、また、形状が復元してリング状となるので、袋体２を積み重ねて運搬できるとともに、袋体２の入れ替えも可能となる。なお、吊り紐支持具１０を構成する弾性部材は、吊り紐３ａ〜３ｄを固定して変形しない程度の剛性を有する材料から構成されることはいうまでもない。
なお、弾性部材としては、例えば、スチールコードなどを用いることができる。また、近年、釣り具や鉄筋の代替品として注目されている超高分子量ポリエチレン繊維やポリアリレート繊維などの高強度・高弾性率繊維を編んで棒状としたものを用いてもよい。
なお、基台１１も弾性部材から構成してもよい。
また、前記実施の形態１の支持部材１２（もしくは、基台１１及び支持部材１２）を弾性部材から構成しても、実施の形態１と同様の効果を得ることができる。
【００２１】
実施の形態３．
前記実施の形態１，２では、吊り紐３ａ〜３ｄを、束線バンドなどの固定部材１３を用いて支持部材１２に固定したが、図１０(ａ)，（ｂ）に示すように、支持部材１２を、基台１１の互いに対応する２本の棒材１１２，１１４の中心に立設される２本の支持片６１，６２から構成するとともに、支持片６１，６２の基台１１とは反対側の端部に、吊り紐３ａ〜３ｄを収納する収納溝６１ｍ，６２ｍを形成し、この収納溝６１ｍ，６２ｍに吊り紐３ａ〜３ｄを収納することで、吊り紐３ａ〜３ｄを、広げた状態で、支持部材１２に固定するようにしてもよい。
収納溝６１ｍ，６２ｍは、図１０（ｂ）の右側の図に示すように、それぞれが、吊り紐３ａ〜３ｄの径よりもやや広めの導入溝６３ａと、この導入溝６３ａに連通する、４本の吊り紐３ａ〜３ｄを収納可能な溝幅を有する収納溝６３ｂとを備える。
吊り紐３ａ〜３ｄを収納溝６１ｍ，６２ｍに収納する際には、収納溝６１ｍ，６２ｍに吊り紐３ａ〜３ｄを収納する広げた状態の吊り紐３ａ〜３ｄを、１本ずつ導入溝６３ａを介して収納溝６３ｂに収納すれば、固定部材１３を用いることなく、吊り紐３ａ〜３ｄを支持部材１２に固定することができる。
なお、この場合にも、吊り紐支持具１０を吊り紐３ａ〜３ｄの内側に配置し、吊り紐３ａ〜３ｄを棒材１１２，１１４の下側をくぐらせて、支持片６１，６２の収納溝６１ｍ，６２ｍに収納するようにしてもよい。
【符号の説明】
【００２２】
１  袋体製作枠、２  根固め用袋体、３  綴じ紐、３ａ〜３ｄ  吊り紐、
４  口絞り用のロープ、５  引っ掛け手段、
１０  吊り紐支持具、１１  基台、１２  支持部材、１３  束線バンド。
【図１】
2018095390.tif 000003
【図２】
2018095390.tif 000004
【図３】
2018095390.tif 000005
【図４】
2018095390.tif 000006
【図５】
2018095390.tif 000007
【図６】
2018095390.tif 000008
【図７】
2018095390.tif 000009
【図８】
2018095390.tif 000010
【図９】
2018095390.tif 000011
【図１０】
2018095390.tif 000012